(57)【特許請求の範囲】
【請求項１】
熱交換器（１）の熱交換器チューブの領域同士の間隙を計測するための方法であって、
一連の発信源（２２）を第１のチューブ（１４）の領域に係合するステップと、
第２のチューブ（１６）の領域の内部において受信検出器（２４）を循環させるステップと、
前記受信検出器（２４）が前記第２のチューブ（１６）の前記領域において移動する際に、前記受信検出器（２４）によって収集された信号を記録するステップと、
記録された前記信号から、前記第１のチューブ（１４）の前記領域と前記第２のチューブ（１６）の前記領域との間隙を推定するステップと、
を備えている前記方法において、
前記領域が、前記第１のチューブ（１４）の前記弓状部分の前記領域が前記第２のチューブ（１６）の前記弓状部分の前記領域に面して延在しているように配置されている弓状部分（１０）とされ、
前記一連の発信源（２２）の２つの反対側に配置された端部が、前記第２のチューブ（１６）の前記弓状部分の内部において前記受信検出器（２４）が循環する際に、前記一連の発信源（２２）を前記第１のチューブ（１４）の前記弓状部分に固定するように作用することを特徴とする方法。
【請求項２】
前記第１のチューブ（１４）及び前記第２のチューブ（１６）の前記弓状部分の前記領域が、同一平面内において延在しており且つ互いに対して略平行とされることを特徴とする請求項１に記載の方法。
【請求項３】
前記一連の発信源（２２）が、前記一連の発信源（２２）を前記第１のチューブ（１４）の前記弓状部分の凹状面に対して押圧するように位置決めされていることを特徴とする請求項１又は２に記載の方法。
【請求項４】
前記一連の発信源（２２）が、センタリング装置（３６）を備えており、
前記一連の発信源（２２）が、前記一連の発信源（２２）を前記第１のチューブ（１４）の前記弓状部分の中心に対して押圧するように位置決めされていることを特徴とする請求項１又は２に記載の方法。
【請求項５】
前記一連の発信源（２２）を前記第１のチューブ（１４）の前記領域に係合させるステップが、
前記受信検出器（２４）を前記第２のチューブ（１６）の前記弓状部分の前記領域の入口に至るまで挿入すること、
前記一連の発信源（２２）を前記第１のチューブ（１４）に挿入すること、
最初の発信源（３０ａ）が前記受信検出器（２４）の前方において検出されるまで、前記一連の発信源（２２）を移動させること、
最後の発信源（３０ｂ）が前記受信検出器（２４）の前方において検出されるまで、前記一連の発信源（２２）を移動させること、及び
前記一連の発信源（２２）を前記第１のチューブ（１４）に固定するように前記一連の発信源（２２）に作用すること、
を含んでいることを特徴とする請求項１〜４のいずれか一項に記載の方法。
【請求項６】
前記受信検出器（２４）が前記第２のチューブ（１６）の前記領域において移動する際に、前記受信検出器（２４）によって収集された信号を記録するステップが、発信源（３０）と前記受信検出器（２４）との間における距離を計算するための物理的データと、検出された前記発信源（３０）を識別するために前記物理的データの分析から推定されるデータと、を含む信号を計測するための作業を備えていることを特徴とする請求項１〜５のいずれか一項に記載の方法。
【請求項７】
前記信号を記録するためのステップが、前記信号の測定値を獲得するための、再現性を有する繰り返し作業を含んでいることを特徴とする請求項６に記載の方法。
【請求項８】
前記一連の発信源（２２）が、同一の形状を有する複数の発信源（３０）を備えており、
一方の発信源（３０）によって発信された前記物理的データが、前記信号を計測するための作業の際に他方の発信源（３０）によって発信された前記物理的データと干渉しないように、複数の発信源（３０）が、互いから十分な距離で離隔配置されていることを特徴とする請求項６又は７に記載の方法。
【請求項９】
前記発信源（３０）それぞれが、ネオジム―鉄―ボロン合金又は任意の他の導電性材料又は任意の他の磁性材料から作られていることを特徴とする請求項８に記載の方法。
【請求項１０】
前記一連の発信源（２２）が、前記発信源（３０）同士を接続しているフィラメントを備えていることを特徴とする請求項８又は９に記載の方法。
【請求項１１】
前記第２のチューブ（１６）の前記領域において前記受信検出器（２４）を循環させるためのステップが、前記第２のチューブ（１６）の内部において略一定の速度で前記受信検出器（２４）を移動させるための作業を含んでいることを特徴とする請求項１〜１０のいずれか一項に記載の方法。
【請求項１２】
前記受信検出器（２４）が、フーコー電流を計測するためのセンサータイプのプローブ又は漏れ磁束を計測するためのセンサータイプのプローブを具備する能動部分（４２）を備えていることを特徴とする請求項１〜１１のいずれか一項に記載の方法。
【請求項１３】
前記受信検出器（２４）が、前記受信検出器（２４）を前記第２のチューブ（１６）の前記弓状部分に対して相対的に案内及びセンタリングするための部分（４０）を備えていることを特徴とする請求項１２に記載の方法。
【請求項１４】
前記第１のチューブ（１４）及び前記第２のチューブ（１６）の前記弓状部分が、垂直面内に配置されており、
前記第１のチューブ（１４）の前記弓状部分が、前記第２のチューブ（１６）の上方又は下方に配置されていることを特徴とする請求項１〜１３のいずれか一項に記載の方法。
【請求項１５】
熱交換器（１）の熱交換チューブの領域同士の間隙を計測するためのアセンブリ（２０）において、
第１のチューブ（１４）の領域に係合可能とされる一連の発信源（２２）と、
第２のチューブ（１６）の弓状部分の領域からの移動の際に、前記一連の発信源（２２）によって送信された信号を受信可能とされる受信検出器（２４）であって、前記第１のチューブ（１４）の前記弓状部分の前記領域が、前記第２のチューブ（１６）の前記弓状部分の前記領域に面して延在している、前記受信検出器（２４）と、
前記一連の発信源（２２）及び前記受信検出器（２４）を所定位置に移動及び維持するための手段（２６）であって、前記受信検出器（２４）が前記第２のチューブ（１６）の前記弓状部分において循環している際に、前記一連の発信源（２２）を前記第１のチューブ（１４）の前記弓状部分に固定するように、前記一連の発信源（２２）の２つの反対側に位置する端部に作用可能とされる、前記手段（２６）と、
を備えていることを特徴とするアセンブリ（２０）。
【請求項１６】
前記一連の発信源（２２）が、同一の形状を有する複数の発信源（３０）を備えており、
前記発信源（３０）が、前記発信源（３０）と前記受信検出器（２４）との間における距離を計算するための物理的データと、検出された前記発信源（３０）を識別するために前記物理的データの分析から推定されるデータと、を含む信号を発信し、
一方の発信源（３０）によって発信された物理的データが、他方の発信源（３０）によって発信された物理的データと干渉しないように、前記発信源（３０）が、互いから十分な距離で離隔配置されていることを特徴とする請求項１５に記載のアセンブリ（２０）。
【請求項１７】
前記受信検出器（２４）が、フーコー電流を計測するためのセンサータイプのプローブ又は漏れ磁束を計測するためのセンサータイプのプローブを具備する能動部分（４２）を備えていることを特徴とする請求項１５又は１６に記載のアセンブリ（２０）。
【請求項１８】
前記受信検出器（２４）が、案内及びセンタリングするための部分（４０）であって、前記第２のチューブ（１６）の直径に適合している前記部分（４０）を備えていることを特徴とする請求項１５又は１６に記載のアセンブリ（２０）。
【発明の詳細な説明】
【技術分野】
【０００１】
本発明は、熱交換器の熱交換器チューブの領域同士の間隙を計測するための方法であって、一連の発信源を第１のチューブの領域に係合するステップと、第２のチューブの領域の内部において受信検出器を循環させるステップと、受信検出器が第２のチューブの領域において移動する際に、受信検出器によって収集された信号を記録するステップと、記録された信号から、第１のチューブの領域と第２のチューブの領域との間隙を推定するステップと、を備えている方法に関する。
【０００２】
当該方法は、熱交換器の製造後又は耐用期間の経過後に当該熱交換器の機械的構造の寸法を検査し、当該機械的構造の一体性を評価するために利用される。
【０００３】
このような方法は、最終製造段階又は利用時に、蒸気発電機の管状のバンドルの弓状部分同士の間の間隙を不確定要素と関連付けつつ、当該間隙を計測することができる。この計測によって、製造上の欠陥又は動作上の不具合が明らかとなる。計測を可能とするアセンブリは、非破壊検査ツールとして利用される。
【背景技術】
【０００４】
従来、熱交換器の熱交換チューブの領域同士の間隙を計測するための方法は、基準チューブの外面からチューブ同士の距離を計測する感触器タイプの非破壊検査又は視覚法によって実施されてきた。
【０００５】
チューブの外面から実施される当該計測方法は、蒸気発電機チューブに適応させることが困難である。さらに、蒸気発電機において、一連の管状のバンドルのチューブの外面へのアクセスは困難である。また、当該方法を利用する作業は煩雑である。
【０００６】
チューブ同士の間隙を計測するための方法を容易に実施するために、解決手段は、間隙計測アセンブリを熱交換器チューブの領域に導入することができるように発展してきた。
【０００７】
特許文献１は、熱交換器の２つの直線状のチューブ同士の間隙を計測するための方法であって、熱交換器は、第１のチューブに高い等時性を有するフェライトコアと第２のチューブにフーコー電流コイルとを備えている、方法を開示している。コイルによって実施される計測は、コイルとフェライトコアとの間における距離を決定することができる。
【０００８】
しかしながら、熱交換器の熱交換器チューブの領域同士の間隙を計測するための方法は、完全に満足いくものではない。当該計測方法は、蒸気発電機の管状の弓状部分に対しては不正確である。
【先行技術文献】
【特許文献】
【０００９】
【特許文献１】米国特許第５７４４９５２号明細書
【発明の概要】
【発明が解決しようとする課題】
【００１０】
本発明の目的のうち一の目的は、最終製造段階又は利用時に、蒸気発電機の管状の弓状部分の領域同士の間の間隙を提供することである。
【００１１】
当該目的を達成するために、本発明は、上述のタイプの熱交換器の熱交換器チューブの領域の２つの領域の間隙を計測するための方法であって、領域が、第１のチューブの弓状部分の領域が第２のチューブの弓状部分の領域に面して延在しているように配置されている弓状部分とされ、一連の発信源の２つの反対側に配置された端部が、第２のチューブの弓状部分の内部において受信検出器が循環する際に、一連の発信源を第１のチューブの弓状部分に固定するように作用する、方法に関する。
【課題を解決するための手段】
【００１２】
本発明における方法は、以下の特徴を１つ以上備えている：
−  第１のチューブ及び第２のチューブの弓状部分の領域が、同一平面内において延在しており且つ互いに対して略平行とされること；
−  一連の発信源が、一連の発信源を第１のチューブの弓状部分の凹状面に対して押圧するように位置決めされていること；
−  一連の発信源が、センタリング装置を備えており、一連の発信源が、一連の発信源を第１のチューブの弓状部分の中心に対して押圧するように位置決めされていること；
−  一連の発信源を第１のチューブの領域に係合させるステップが、
−  受信検出器を第２のチューブの弓状部分の領域の入口に至るまで挿入すること、
−  一連の発信源を第１のチューブに挿入すること、
−  最初の発信源が受信検出器の前方において検出されるまで、一連の発信源を移動させること、
−  最後の発信源が受信検出器の前方において検出されるまで、一連の発信源を移動させること、及び
−  一連の発信源を第１のチューブに固定するように一連の発信源に作用すること、
を含んでいること；
−  受信検出器が第２のチューブの領域において移動する際に、受信検出器によって収集された信号を記録するステップが、発信源と受信検出器との間における距離を計算するための物理的データと、検出された発信源を識別するために物理的データの分析から推定されるデータと、を含む信号を計測するための作業を備えていること；
−  信号を記録するためのステップが、信号の測定値を獲得するための、再現性を有する繰り返し作業であって、好ましくは１ミリメートル移動するごとに少なくとも１つの計測値を獲得するための繰り返し作業を含んでいること；
−  一連の発信源が、同一の形状を有する複数の発信源を備えており、一方の発信源によって発信された物理的データが、信号を計測するための作業の際に他方の発信源によって発信された物理的データと干渉しないように、複数の発信源が、互いから十分な距離で離隔配置されていること；
−  発信源それぞれが、ネオジム―鉄―ボロン合金又は任意の他の導電性材料又は任意の他の磁性材料から作られていること；
−  一連の発信源が、発信源同士を接続しているフィラメントを備えていること；
−  第２のチューブの領域において受信検出器を循環させるためのステップが、第２のチューブの内部において略一定の速度で受信検出器を移動させるための作業を含んでいること；
−  受信検出器が、フーコー電流を計測するためのセンサータイプのプローブ又は漏れ磁束を計測するためのセンサータイプのプローブを具備する能動部分を備えていること；
−  受信検出器が、受信検出器を第２のチューブの弓状部分に対して相対的に案内及びセンタリングするための部分を備えていること；及び
−  第１のチューブ及び第２のチューブの弓状部分が、垂直面内に配置されており、第１のチューブの弓状部分が、第２のチューブの上方又は下方に配置されていること。
【００１３】
本発明は、熱交換器の熱交換チューブの領域同士の間隙を計測するためのアセンブリであって、第１のチューブの領域に係合可能とされる一連の発信源と、第２のチューブの弓状部分の領域からの移動の際に、一連の発信源によって送信された信号を受信可能とされる受信検出器であって、第１のチューブの弓状部分の領域が、第２のチューブの弓状部分の領域に面して延在している、受信検出器と、一連の発信源及び受信検出器を所定位置に移動及び維持するための手段であって、受信検出器が第２のチューブの弓状部分において循環している際に、一連の発信源を第１のチューブの弓状部分に固定するように、一連の発信源の２つの反対側に位置する端部に作用可能とされる、手段と、を備えているアセンブリに関する。
【００１４】
本発明における間隙を計測するためのアセンブリは、以下の特徴を１つ以上備えている：
−  一連の発信源が、同一の形状を有する複数の発信源を備えており、発信源が、発信源と受信検出器との間における距離を計算するための物理的データと、検出された発信源を識別するために物理的データの分析から推定されるデータと、を含む信号を発信し、一方の発信源によって発信された物理的データが、他方の発信源によって発信された物理的データと干渉しないように、発信源が、互いから十分な距離で離隔配置されており、発信源が、優位にはフィラメントを介して接続されており、優位にはセンタリング装置を利用することによって第１のチューブの凹状面又は中心に位置決めされていること；
−  受信検出器が、フーコー電流を計測するためのセンサータイプのプローブ又は漏れ磁束を計測するためのセンサータイプのプローブを具備する能動部分を備えていること；及び
−  受信検出器が、案内及びセンタリングするための部分であって、第２のチューブの直径に適合している部分を備えていること。
【００１５】
本発明については、添付図面を参照しつつ、単なる一例を示す以下の説明を読めば、良好に理解することができる。
【図面の簡単な説明】
【００１６】
【図１】本発明における方法によって制御されるようになっている熱交換器、特に領域の全体的な概略図である。
【図２】本発明における熱交換器の熱交換器チューブの領域同士の間における間隙を計測するためのアセンブリの概略的且つ全体的な横断面図である。
【図３】図２に表わす間隙を計測するためのアセンブリの一連の発信源の全体的な正面図である。
【発明を実施するための形態】
【００１７】
図１は、蒸気発電機タイプの熱交換器１を表わす。
【００１８】
熱交換器１は、タンク４と、タンク４の内部に位置決めされている複数の管状のバンドル６とを備えている。バンドル６それぞれは、複数のＵ字状のチューブを含んでおり、当該チューブは、直線状部分と、当該直線状部分の端部それぞれに配設された弓状部分とを有している。
【００１９】
弓状部分１０は、スペーサ１２を利用することによって、チューブの直線状部分の端部に配置、特に位置決めされているので、第１のチューブ１４の弓状部分は、第２のチューブ１６の弓状部分に面して延在している。第１のチューブ１４の弓状部分と第２のチューブ１６の弓状部分との間には、空間１８が形成されている。
【００２０】
第１のチューブ１４の弓状部分と第２のチューブ１６の弓状部分とは同一平面内に延在しており、互いに対して略平行とされる。
【００２１】
図１に表わす実施例では、第１のチューブ１４の弓状部分と第２のチューブ１６の弓状部分とは同一の垂直面内に延在している。第１のチューブ１４の弓状部分は、優位には第２のチューブ１６の弓状部分の上方に位置している。代替的には、第１のチューブ１４の弓状部分と第２のチューブ１６の弓状部分とは、水平成分及び／又は垂直成分を有する同一平面内に延在している。
【００２２】
図２に表わすように、間隙計測アセンブリ２０は、特に製造の最終段階又は利用の際に第１のチューブ１４の弓状部分と第２のチューブ１６の弓状部分との間における間隙を検査するために、非破壊検査を実施するように構成されている。
【００２３】
間隙を計測するための間隙計測アセンブリ２０は、第１のチューブ１４に係合されるように構成されている一連の発信源２２と、第２のチューブ１６の内部を循環するように構成されている受信検出器２４と、一連の発信源２２及び受信検出器２４を移動させるための且つ一連の発信源２２及び受信検出器２４を所定位置に維持するための移動手段２６とを備えている。
【００２４】
また、間隙計測アセンブリ２０は、検査ユニット２８を備えており、検査ユニット２８は、第１のチューブ１４と第２のチューブ１６との間における間隙の計測値を獲得する際に、受信検出器２４によって受信される信号を記録するように構成されている。また、検査ユニット２８は、一連の発信源２２と受信検出器２４との間における距離を発信された物理的データの強度の減少を通じて評価することによって、当該距離を計算することができる。
【００２５】
図３に表わすように、一連の発信源２２は、互いから離隔配置されている複数の略同一の発信源３０から成る。また、一連の発信源２２は、発信源３０同士を接続しているフィラメント３２と、隣り合う発信源３０から成る組それぞれの間にフィラメント３２に沿って設けられた、好ましくは磁場の影響を受けないスペーサ３４とを備えている。従って、発信源３０同士を分離する際に一方の発信源が他方の発信源に及ぼす影響を無視することができるとみなされる。
【００２６】
優位には、スペーサ３４は、円柱状とされ、典型的には丸くなっており、互いに接続されている、例えば互いに連結されている幾つかの部品に分割されている。スペーサ３４は、弓状部分の内部において自在に移動するように弓状部分の輪郭に適応しており、フィラメント３２に維持されている一組の発信源３０を事前に位置決めし、これにより発信源３０同士の間の距離を一定に保つことができる。
【００２７】
代替的には、一連の発信源２２は、一連の発信源２２を第１のチューブ１４の弓状部分に対して位置決めするためのセンタリング装置３６を備えている。センタリング装置３６は、発信源３０及び／又はスペーサ３４の輪郭に適合するハウジングを有している。センタリング装置３６は、発信源３０を第１のチューブ１４の弓状部分の凹状面に対して位置決めすることができる。代替的には、センタリング装置３６は、発信源３０を第１のチューブ１４の弓状部分の中心に位置決めすることができる。
【００２８】
発信源３０それぞれが、受信検出器２４によって収集可能とされる信号を発信する。当該信号は、発信源３０と受信検出器２４との間隔を検査ユニット２８を介して計算するための物理的データと、検出された発信源３０を識別するために当該物理的データの分析から推定されるデータとを備えている。
【００２９】
受信検出器２４は、発信源３０それぞれによって発信された信号を計測することができ、図２に表わすように第２のチューブ１６の内部に設けられている。
【００３０】
優位には、受信検出器２４は、第１のチューブ１４に面して位置決めされている。
【００３１】
受信検出器２４は、第２のチューブ１６に対して受信検出器２４を案内及びセンタリングするための部分４０と、信号を計測するためのセンサを備えている能動部分４２とを備えている。
【００３２】
優位には、受信検出器２４は、案内及びセンタリングするための部分４０を介して、移動手段２６に接続されている。
【００３３】
受信検出器２４を案内及びセンタリングするための部分４０は、第２のチューブ１６の弓状部分の内側輪郭に適応する、優位には円筒状の筐体を備えている。
【００３４】
所定位置に移動及び維持するための移動手段２６は、第２のチューブ１６の弓状部分の内部において受信検出器２４を略一定の速度で循環させることができる。言い換えれば、速度は、特に摩擦に起因して、当該一定の速度の約＋／−１０％で変動する。
【００３５】
所定位置に移動及び維持するための移動手段２６は、一連の発信源２２を第１のチューブ１４の内部において移動させ、第１のチューブ１４を所定位置に維持することができる。
【００３６】
所定位置に移動及び維持するための移動手段２６は、一連の発信源２２の第１の端部を第１のチューブ１４の内部に位置決めし、少なくとも当該第１の端部が第１のチューブ１４の弓状部分１０から離れるまで第１のチューブ１４を循環させることができる。さらに、一連の発信源２２の第１の端部は、所定位置に移動及び維持するための移動手段２６に再係合するように適合している。
【００３７】
代替的には、所定位置に移動及び維持するための移動手段２６は、第１のチューブ１４の内部において第１の案内型ストリング部分を循環させ、第２の一連の発信源２２の部分を第１のチューブ１４に徐々に挿入させることができる。
【００３８】
所定位置に移動及び維持するための移動手段２６は、一連の発信源２２を第１のチューブ１４の直線状部分及び／又は弓状部分に配置させることができる。
【００３９】
図２に表わすように、所定位置に移動及び維持するための移動手段２６は、固定手段を備えており、当該固定手段は、一連の発信源２２の２つの端部を受容し、一連の発信源２２を第１のチューブ１４の内部に固定するために当該端部それぞれを操作することができる。
【００４０】
所定位置に移動及び維持するための移動手段２６は、第２のチューブ１６の弓状部分の内部において受信検出器２４を循環させている際に、一連の発信源２２の２つの反対側に位置する端部に作用し、一連の発信源２２を第１のチューブ１４の弓状部分に固定することができる。
【００４１】
代替的には、所定位置に移動及び維持するための移動手段２６は、一連の発信源２２が第１のチューブ１４の弓状部分に係合された場合に、一連の発信源２２の一方の端部を所定位置において阻止するための手段と、一連の発信源２２の他方の端部を固定するための手段とを備えている。
【００４２】
所定位置に移動及び維持するための移動手段２６は、特に第２のチューブ１６の弓状部分の内部において受信検出器２４を循環させる際に、一連の発信源２２の一方の端部を固定し、一連の発信源２２を第１のチューブ１４の弓状部分の内部に位置決め且つ固定するように一連の発信源２２の他方の端部に作用することができる。
【００４３】
優位には、所定位置に移動及び維持するための移動手段２６は、一連の発信源２２を移動させるためのプッシュプル式部材と、受信検出器２４のためのプッシュプル式部材とを備えている。
【００４４】
熱交換器１の熱交換器チューブの領域同士の間における間隙を計測するための方法について、以下に説明する。
【００４５】
図２に表わすように、当該方法は、以下のステップを含んでいる。
【００４６】
最初に、一連の発信源２２が第１のチューブ１４に係合される。受信検出器２４は、移動手段２６によって第２のチューブ１６の内部に移動される。検査ユニット２８は、第２のチューブ１６の領域の移動の際に受信検出器２４の能動部分４２によって収集された信号を記録する。検査ユニット２８は、記録された信号から、第１のチューブ１４及び第２のチューブ１６の領域同士の間における分離すなわち間隙を推定する。
【００４７】
これら様々なステップについて、以下に概説する。
【００４８】
最初に、受信検出器２４が第２のチューブ１６の弓状部分の入口に至るまで移動され、検出可能とされるスペーサ１２によって信号が送られる。受信検出器２４は、スペーサ１２を検出し、移動手段２６は、受信検出器２４を可能な限り近接させて位置決めする。
【００４９】
次に、一連の発信源２２は、第１のチューブ１４に挿入される。一連の発信源２２は、最初の発信源３０ａが受信検出器２４の前方で検出されるまで、移動手段２６によって移動される。移動手段２６は、最後の発信源３０ｂが受信検出器２４の前方で検出されるまで、一連の発信源２２を移動させる。
【００５０】
移動手段２６は、一連の発信源２２が第１のチューブ１４の弓状部分の所定位置に位置するように、一連の発信源２２の両端において一連の発信源２２に僅かに作用する。移動手段２６は、一連の発信源２２を第１のチューブ１４の弓状部分に固定する。一連の発信源２２の端部それぞれが、移動手段２６を固定するための手段によって維持される。固定手段は、一連の発信源２２を第１のチューブ１４の弓状部分に固定するためのフィラメント３２に作用する。発信源３０は、第１のチューブ１４の凹状面又は中心に対して略等間隔で位置決めされている。
【００５１】
一連の発信源２２は、第１のチューブ１４の弓状部分に固定されているので、受信検出器２４の移動手段２６は、第２のチューブ１６の弓状部分の内部において受信検出器２４を駆動する。
【００５２】
受信検出器２４は、略一定の速度で移動される。受信検出器２４の移動の際に受信検出器２４によって収集された信号を記録するためのステップにおいて、検査ユニット２８が当該信号を記録する。当該信号は、発信源３０と受信検出器２４との間における距離を計算可能とする発信源３０の物理的データと、検出された発信源３０を識別するために当該物理的データの分析から推定されるデータとを有している。受信検出器２４の移動の際に、受信検出器２４の能動部分４２は、発信された物理的データの変化を計測する。この計測は、一連の発信源２２及び対応する受信検出器２４に基づくものであり、磁場の変動又は誘導電流の変動に関するものである。発信された物理的データの変化についての分析は、発信源３０を識別及びリスト化し、発信源３０と受信検出器２４との間における距離を決定する。
【００５３】
信号の計測値は、所定の移動距離に亘って繰り返し獲得される。計測値の獲得は、好ましくは１ミリメートル移動するごとに少なくとも１回、優位には１ミリメートル移動するごとに数回繰り返される。
【００５４】
間隙を計測するための方法は、幾つかの弓状部分を含むサンプルについて、又は、熱交換器１の管状のバンドルのすべての弓状部分１０について繰り返される。
【００５５】
第１の実施例では、一連の発信源２２は一連の導電体とされる。一連の発信源２２についての物理的データは、誘起磁場を形成している電流によって生成される。発信源３０それぞれが、好ましくは銅、アルミニウム、又は任意の他の導電材料から成る合金から作られている。
【００５６】
受信検出器２４の能動部分４２は、フーコー電流を計測するためのセンサータイプのプローブとされる。
【００５７】
受信検出器２４によって計測される特性は、発信源３０それぞれについての誘導電流の変動である。優位には、受信検出器２４の計測は、弓状部分同士の間隙の検査と共に、第２のチューブ１６の表面状態及び亀裂の有無を検査する。
【００５８】
さらに、熱交換チューブの領域同士の間隙を計測するための、第１の実施例に関連する方法は、弓状部分同士の間隙を検査し、表面状態を検査すると共に、第２のチューブ１６の弓状部分について亀裂を探査する。
【００５９】
第２の実施例では、一連の発信源２２は一連の磁石とされる。一連の発信源２２についての物理的データは、磁場である。好ましくは、発信源３０それぞれは、ネオジム―鉄―ボロン合金又は任意の他の磁性材料から作られている。
【００６０】
受信検出器２４の能動部分４２は、漏れ磁束を計測するためのセンサータイプのプローブとされる。受信検出器２４によって計測される特性は、発信源３０それぞれについての磁場の変動である。
【００６１】
弓状部分１０同士の間隙を計測するための方法は、蒸気発電機１の管状のバンドルの弓状部分１０同士の間における距離を効率的に検査する。所定位置に移動及び維持するための移動手段２６は、電圧を維持することによって確実に一連の発信源２２を第１のチューブ１４の弓状部分に位置決めするので、高精度の計測が実現される。
【００６２】
また、当該計測方法によって、不確定要素を間隙に関連付けることによって、最終的な製造段階及び利用時の両方において当該間隙を決定することができる。
【００６３】
弓状部分１０同士の間隙を計測するための方法は、第１のチューブ１４及び第２のチューブ１６の弓状部分の内側から、当該チューブの中心及び当該チューブの凹状面の両方を基準として、弓状部分１０同士の間における距離を決定するための方法を提案する。
【００６４】
優位には、間隙を計測するための方法は、同一の特性を有する発信源３０を利用するので、再現性及び低い不確実性を有する計測を実現することができる。
【００６５】
間隙を計測するための方法は、適切な時間の長さにおいて熱交換器１のすべての管状のバンドルについて弓状部分１０同士の間における距離をマッピングするための手段として考慮されている。
【００６６】
間隙を計測するための方法は、非破壊検査を実施するために熱交換器１を変更することを要求しない。
【符号の説明】
【００６７】
１    熱交換器
４    タンク
６    バンドル
１０    弓状部分
１２    スペーサ
１４    第１のチューブ
１６    第２のチューブ
１８    空間
２０    間隙計測アセンブリ
２２    一連の発信源
２４    受信検出器
２６    移動手段
２８    検査ユニット
３０    発信源
３０ａ  最初の発信源
３０ｂ  最後の発信源
３２    フィラメント
３４    スペーサ
３６    センタリング装置
４０    部分
４２    能動部分
【図１】
0006557336.tif 000002
【図２】
0006557336.tif 000003
【図３】
0006557336.tif 000004